(57)【要約】      （修正有）【課題】ＣＳＧ（Ｃｌｏｓｅｄ Ｓｕｂｓｃｒｉｂｅｒ Ｇｒｏｕｐ）情報を伝送してページングの最適化をサポートする方法および装置を提供する。【解決手段】ＬＴＥにおけるＣＳＧのアクセス制御とＬＴＥ ＨｅＮＢのネットワークアーキテクチャを結合して、変更のあったＣＳＧのみの情報を各ネットワーク実体の間で伝送し、各ネットワーク実体間のデータ伝送量を減少し、ＭＭＥがＴＡとＣＳＧ情報を利用して、ページングが必要のセルを総合的に判断することができるので、冗長のページングを回避し、有線と無線資源の無駄遣いを軽減している。また、トラッキングエリア標識を合理的に配置することにより、フェムトセルでのページングによりマクロセルに必要のないページングを開始することを避け、マクロセルのエアインタフェース資源の無駄遣いを軽減する。【選択図】図５
2010213273.tif 000002
【特許請求の範囲】
【請求項１】
ＣＳＧセルにおけるページングの最適化をサポートする方法であって、
第１の設備は、自第１の設備がサポートするＣＳＧに変更があったか判断し、変更があったと判断する場合、変更のあったＣＳＧを選択してステップＢへ進むステップＡと、
第１の設備は、前記変更のあったＣＳＧの情報を第２の設備に送信するステップＢとを含み、
前記第１の設備がマクロセルまたはＨｅＮＢゲートウェイである場合、前記第２の設備は移動性管理実体であり、前記第１の設備がＨｅＮＢである場合、前記第２の設備は移動性管理実体またはＨｅＮＢゲートウェイであることを特徴とする方法。
【請求項２】
前記ステップＡにおいて、前記第１の設備がサポートするＣＳＧに変更がないと判断した場合、フローを終了させることを特徴とする請求項１に記載の方法。
【請求項３】
前記第１の設備がＨｅＮＢゲートウェイである場合、前記ステップＡにおいて、
前記ＨｅＮＢゲートウェイは、自ＨｅＮＢゲートウェイとの接続を第１のＨｅＮＢから確立されまたは遮断されることを検出すると、前記ＨｅＮＢゲートウェイに接続されている他のＨｅＮＢに前記第１のＨｅＮＢのＣＳＧが存在するか否かを判断し、存在する場合、前記ＨｅＮＢゲートウェイがサポートするＣＳＧに変更がないと判断してフローを終了させるが、存在しない場合、前記ＨｅＮＢゲートウェイがサポートするＣＳＧに変更があり且つ変更のあったＣＳＧが第１のＨｅＮＢのＣＳＧであると判断して、ステップＢへ進むことを特徴とする請求項１または２に記載の方法。
【請求項４】
前記ステップＡにおいて、さらに、
前記ＨｅＮＢゲートウェイは、自ＨｅＮＢゲートウェイに接続されている第２のＨｅＮＢに第１のＣＳＧが追加配置されたこと、または元々配置された第１のＣＳＧが削除されたことを検出すると、前記ＨｅＮＢゲートウェイに接続されている他のＨｅＮＢに前記第１のＣＳＧが存在するか否かを判断し、存在する場合、前記ＨｅＮＢゲートウェイがサポートするＣＳＧに変更がないと判断してフローを終了させるが、存在しない場合、前記ＨｅＮＢゲートウェイがサポートするＣＳＧに変更があり且つ変更のあったＣＳＧが前記第１のＣＳＧであると判断して、ステップＢへ進むことを特徴とする請求項３に記載の方法。
【請求項５】
前記ステップＢにおいて、前記変更のあったＣＳＧの情報には、前記変更のあったＣＳＧのＩＤと、該ＩＤに対応付けられ、前記変更のあったＣＳＧの削除または追加を指示するための識別ビットとを含むことを特徴とする請求項１に記載の方法。
【請求項６】
時間周期が予め定められ、ステップＢにおいて、前記変更のあったＣＳＧの情報を移動性管理実体に送信することは、前記第１の設備が、前記時間周期内に変更のあったすべてのＣＳＧを統計し、変更のあったすべてのＣＳＧの情報をシグナリングメッセージに付加して前記第２の設備に送信することであることを特徴とする請求項１に記載の方法。
【請求項７】
前記シグナリングメッセージは、Ｓ１に接続された保守メッセージであり、前記保守メッセージは基地局配置更新メッセージを含むことを特徴とする請求項６に記載の方法。
【請求項８】
前記第２の設備が前記移動性管理実体である場合、前記ステップＢの後にさらに、
前記移動性管理実体は、受信した前記変更のあったＣＳＧの情報に基づいて、自身で保守する前記第１の設備がサポートするＣＳＧを更新するステップＣを含むことを特徴とする請求項１に記載の方法。
【請求項９】
前記ステップＣの後にさらに、
前記移動性管理実体は、ユーザ端末を呼び出すときに、前記ユーザ端末があるトラッキングエリアに対応するセルと前記ユーザ端末が属するＣＳＧに対応するセルの共通集合に基づいて、呼び出しする必要のあるセルを特定してページングを開始するステップＤを含むことを特徴とする請求項８に記載の方法。
【請求項１０】
マクロ基地局に対応するマクロセルとＨｅＮＢに対応するフェムトセルのトラッキングエリア標識を分割し、予めマクロセルとフェムトセルに異なったトラッキングエリア標識を割当て、あるいは、予めＨｅＮＢゲートウェイに所定数のトラッキングエリア標識を割当て、前記所定数のトラッキングエリア標識は、該ＨｅＮＢゲートウェイに接続されているＨｅＮＢの重複使用に供され、且つ、他のＨｅＮＢゲートウェイまたはマクロセルに割り当てられたトラッキングエリア標識とは異なることを特徴とする請求項９に記載の方法。
【請求項１１】
ＨｅＮＢと移動性管理実体との間に接続されるＨｅＮＢゲートウェイにおいて、
自ＨｅＮＢゲートウェイに接続されるすべてのＨｅＮＢに配置されたＣＳＧを含む、自ＨｅＮＢゲートウェイがサポートするＣＳＧを保守する保守モジュールと、
自ＨｅＮＢゲートウェイがサポートするＣＳＧに変更があったかを判断し、変更があった場合、変更のあったＣＳＧを選択する判断モジュールと、
前記判断モジュールで選択された前記変更のあったＣＳＧの情報を前記移動性管理実体に送信する送信モジュールと、を含むことを特徴とするＨｅＮＢゲートウェイ。
【請求項１２】
前記判断モジュールは、
自ＨｅＮＢゲートウェイとの接続を確立または遮断するＨｅＮＢを検出する第１の検出サブモジュールと、
第１のＨｅＮＢが自ＨｅＮＢゲートウェイとの接続を確立しまたは遮断することを前記第１の検出サブモジュールで検出すると、前記ＨｅＮＢゲートウェイに接続されている他のＨｅＮＢに前記第１のＨｅＮＢのＣＳＧが存在するか否かを判断し、存在する場合、前記ＨｅＮＢゲートウェイがサポートするＣＳＧに変更がないと判断し、存在しない場合、前記ＨｅＮＢゲートウェイがサポートするＣＳＧに変更があり且つ変更のあったＣＳＧが第１のＨｅＮＢのＣＳＧであると判断する第１の判断サブモジュールと、を含むことを特徴とする請求項１１に記載のＨｅＮＢゲートウェイ。
【請求項１３】
前記判断モジュールはさらに、
自ＨｅＮＢゲートウェイに接続されているＨｅＮＢのＣＳＧ配置の変更状況を検出する第２の検出サブモジュールと、
自ＨｅＮＢゲートウェイに接続されている第２のＨｅＮＢに第１のＣＳＧが追加配置されたこと、または元々配置された第１のＣＳＧが削除されたことを前記第２の検出サブモジュールで検出すると、前記ＨｅＮＢゲートウェイに接続されている他のＨｅＮＢに前記第１のＣＳＧが存在するか否かを判断し、存在する場合、前記ＨｅＮＢゲートウェイがサポートするＣＳＧに変更がないと判断し、存在しない場合、前記ＨｅＮＢゲートウェイがサポートするＣＳＧに変更があり且つ変更のあったＣＳＧが前記第１のＣＳＧであると判断する第２の判断サブモジュールと、を含むことを特徴とする請求項１２に記載のＨｅＮＢゲートウェイ。
【請求項１４】
予め定められた時間周期で周期的に計時するタイミングモジュールをさらに含み、
前記送信モジュールは、さらに前記時間周期内に変更のあったすべてのＣＳＧを統計し、変更のあったすべてのＣＳＧの情報をシグナリングメッセージに付加して前記移動性管理実体に送信することを特徴とする請求項１１に記載のＨｅＮＢゲートウェイ。
【請求項１５】
前記シグナリングメッセージは、基地局配置更新メッセージであり、
前記変更のあったＣＳＧの情報には、前記変更のあったＣＳＧのＩＤと、該ＩＤに対応付けられ、前記変更のあったＣＳＧの削除または追加を指示するための識別ビットとを含むことを特徴とする請求項１４に記載のＨｅＮＢゲートウェイ。
【請求項１６】
基地局設備であって、
自基地局設備がサポートするＣＳＧを保守するための保守モジュールと、
自基地局設備がサポートするＣＳＧに変更があったかを判断し、変更があったと判断した場合、変更のあったＣＳＧを選択するための判断モジュールと、
前記判断モジュールで選択された前記変更のあったＣＳＧの情報を、自基地局設備に接続されている移動性管理実体またはＨｅＮＢゲートウェイに送信するための送信モジュールと、を含むことを特徴とする。
【請求項１７】
予め定められた時間周期で周期的に計時するタイミングモジュールをさらに含み、
前記送信モジュールは、さらに前記時間周期内に変更のあったすべてのＣＳＧを統計し、変更のあったすべてのＣＳＧの情報をシグナリングメッセージに付加して前記移動性管理実体に送信することを特徴とする請求項１６に記載の基地局設備。
【請求項１８】
前記シグナリングメッセージは、基地局配置更新メッセージであり、
前記変更のあったＣＳＧの情報には、前記変更のあったＣＳＧのＩＤと、該ＩＤに対応付けられ、前記変更のあったＣＳＧの削除または追加を指示するための識別ビットとを含むことを特徴とする請求項１７に記載の基地局設備。
【請求項１９】
前記基地局設備は、マクロ基地局設備またはＨｅＮＢ設備であることを特徴とする請求項１８に記載の基地局設備。
【請求項２０】
移動性管理実体であって、少なくとも一つのＨｅＮＢゲートウェイに接続し、前記ＨｅＮＢゲートウェイには少なくとも一つのＨｅＮＢが接続されており、
前記移動性管理実体は保守モジュールを有し、
該保守モジュールは、前記ＨｅＮＢゲートウェイから送信された第１のメッセージを受信し、前記ＨｅＮＢゲートウェイがサポートするＣＳＧを前記第１のメッセージに基づき保守し、前記第１のメッセージには、前記ＨｅＮＢゲートウェイがサポートするＣＳＧのうち変更のあったＣＳＧの情報が付加されており、前記ＨｅＮＢゲートウェイがサポートするＣＳＧは前記ＨｅＮＢゲートウェイに接続されているすべてのＨｅＮＢに配置されたＣＳＧを含むことを特徴とする。
【請求項２１】
前記保守モジュールはさらに、自移動性管理実体に接続されているＨｅＮＢまたはマクロ基地局から送信された第２のメッセージを受信し、前記ＨｅＮＢまたはマクロ基地局がサポートするＣＳＧを前記第２のメッセージに基づき保守し、前記第２のメッセージには、前記ＨｅＮＢまたはマクロ基地局がサポートするＣＳＧのうち変更のあったＣＳＧの情報が付加されていることを特徴とする請求項２０に記載の移動性管理実体。
【請求項２２】
ユーザ端末を呼び出すときに、前記ユーザ端末があるトラッキングエリアに対応するセルと前記ユーザ端末が属するＣＳＧに対応するセルの共通集合に基づいて、呼び出しする必要のあるセルを特定してページングを開始するページングモジュールをさらに含むことを特徴とする請求項２０または２１に記載の移動性管理実体。
【発明の詳細な説明】
【技術分野】
【０００１】
本発明は、移動通信技術分野のＬＴＥ（Ｌｏｎｇ  Ｔｅｒｍ  Ｅｖｏｌｕｔｉｏｎ）システムに関し、特に、ＣＳＧ（Ｃｌｏｓｅｄ  Ｓｕｂｓｃｒｉｂｅｒ  Ｇｒｏｕｐ）セルにおけるページングの最適化をサポートする方法および装置に関する。
【背景技術】
【０００２】
現在、移動通信システムに関する研究は、２．５Ｇ／３Ｇから次世代へ進められている。ＬＴＥシステムは、３Ｇの重要な進化方案として、工業界および学術界から最も見込みのある技術であると認識されている。３ＧのＬＴＥシステムでは、ネットワークが室内、室外、高速移動などの多種類の場面における需要を満足することを要求している。ＨｅＮＢ（Ｈｏｍｅ  ｅＮｏｄｅ  Ｂ）は無線でカバーする解決方案であり、家庭の屋内環境、オフィス環境またはその他の小範囲でのカバー環境に適用する。ＨｅＮＢは、ＩＰブロードバンドアクセスネットワークを介して事業者の移動コアネットワークにアクセスでき、事業者がより高いデータレート、より低いコストの魅力的な業務を提供できるようになる。３ＧＰＰは、現在ＬＴＥ  ＨｅＮＢの標準化を積極的に推進している。
【０００３】
図１は、従来のＬＴＥのネットワークアーキテクチャを示す。ＬＴＥネットワークの無線アクセスネットワーク（ＲＡＮ：Ｒａｄｉｏ  Ａｃｃｅｓｓ  Ｎｅｔｗｏｒｋ）では、基地局（ｅＮＢ：ｅＮｏｄｅ  Ｂ）がＳ１インタフェースを介してコアネットワークに接続する。制御面から見ると、Ｓ１インタフェースを接続するのは移動性管理実体（ＭＭＥ：Ｍｏｂｉｌｉｔｙ  Ｍａｎａｇｅｍｅｎｔ  Ｅｎｔｉｔｙ）である。ＭＭＥは、ユーザ端末（ＵＥ：Ｕｓｅｒ  Ｅｑｕｉｐｍｅｎｔ）の位置情報を保守し、ページングメッセージを発し、ＵＥのローミングとハンドオーバをサポートする。
【０００４】
図２は現在確定済みのＬＴＥ  ＨｅＮＢのネットワークアーキテクチャを示す。ＨｅＮＢとＨｅＮＢゲートウェイ（ＨｅＮＢ  ＧＷ：ＨｅＮＢ  Ｇａｔｅｗａｙ）間は、Ｓ１インタフェースで接続し、ＨｅＮＢ  ＧＷとＭＭＥ間もＳ１インタフェースで接続する。ＭＭＥにとって、ＨｅＮＢ  ＧＷが一つのｅＮＢに該当する。一方、ＨｅＮＢにとって、ＨｅＮＢ  ＧＷの機能がＭＭＥに相当する。こうすることにより、ＨｅＮＢを柔軟に配置でき、直接にＭＭＥに接続できるし、ＨｅＮＢ  ＧＷで一括してからＭＭＥに接続することもできるというメリットを有する。
【０００５】
ＬＴＥシステムでは、ユーザの位置管理について、回路域とパケット域に区別されない。トラッキングエリア（ＴＡ：Ｔｒａｃｋｉｎｇ  Ａｒｅａ）という概念を導入し、対応する標識をユーザに割り当てることにより、ＵＥのアイドル状態においてユーザに対して位置管理を行う。ＴＡは通常複数のセルまたは基地局からなる。
【０００６】
図３はＨｅＮＢに対して導入されたＣＳＧを示す。ＣＳＧの許可制御により、特定のＵＥしか対応するＨｅＮＢにアクセスできない。該許可過程は、コアネットワーク（ＣＮ：Ｃｏｒｅ  Ｎｅｔｗｏｒｋ）のＭＭＥにより判定される。ＣＳＧの数がトラッキングエリア（ＴＡ：Ｔｒａｃｋｉｎｇ  Ａｒｅａ）の数より遥かに大きいため、複数のＣＳＧで同一なＴＡを重複使用することがありうる。図３では、大き目の四つの六角形はマクロセルを示し、小さめの六角形はＨｅＮＢセルを示す。ＣＳＧ２とＣＳＧ６は共にＴＡ２を使用し、ＣＳＧ１、ＣＳＧ３、ＣＳＧ４およびＣＳＧ５はいずれもＴＡ１を使用する。すべてのマクロセルはＴＡ３を使用する。
【０００７】
本発明を実現する過程では、発明者が、ＨｅＮＢとＨｅＮＢ  ＧＷ間、ＨｅＮＢ  ＧＷとＭＭＥ間、ＨｅＮＢとＭＭＥ間、およびマクロ基地局とＭＭＥ間においていずれもＳ１インタフェースで接続することを発見した。従って、ＣＳＧ情報を効果的に伝送できる共通の方法を見出すことが強く希望されている。しかし、従来技術において、対応する解決方案がまだ提案されていない。
【発明の概要】
【発明が解決しようとする課題】
【０００８】
本発明は、ＣＳＧ情報をネットワーク実体間に伝送する際のシグナリングコストを極大に減少し、ＭＭＥページングの最適化をサポートすることができるＣＳＧ情報伝送方法および装置を提供する。
【課題を解決するための手段】
【０００９】
上記目的を達成するために、本発明の技術案は下記のようになっている。
【００１０】
ＣＳＧセルにおけるページングの最適化をサポートする方法であって、第１の設備は、自第１の設備がサポートするＣＳＧに変更があったか判断し、変更があったと判断する場合、変更のあったＣＳＧを選択してステップＢへ進むステップＡと、第１の設備は、上記変更のあったＣＳＧの情報を第２の設備に送信するステップＢとを含み、上記第１の設備がマクロセルまたはＨｅＮＢゲートウェイである場合、上記第２の設備は移動性管理実体であり、上記第１の設備がＨｅＮＢである場合、上記第２の設備は移動性管理実体またはＨｅＮＢゲートウェイである。
【００１１】
好ましい技術案として、上記方法のステップＡにおいて、上記第１の設備がサポートするＣＳＧに変更がないと判断した場合、フローを終了させる。
【００１２】
好ましい技術案として、上記方法において、上記第１の設備がＨｅＮＢゲートウェイである場合、上記ステップＡでは具体的に下記ステップを含む。
【００１３】
上記ＨｅＮＢゲートウェイは、自ＨｅＮＢゲートウェイとの接続を第１のＨｅＮＢから確立されまたは遮断されることを検出すると、上記ＨｅＮＢゲートウェイに接続されている他のＨｅＮＢに上記第１のＨｅＮＢのＣＳＧが存在するか否かを判断し、存在する場合、上記ＨｅＮＢゲートウェイがサポートするＣＳＧに変更がないと判断してフローを終了させるが、存在しない場合、上記ＨｅＮＢゲートウェイがサポートするＣＳＧに変更があり且つ変更のあったＣＳＧが第１のＨｅＮＢのＣＳＧであると判断して、ステップＢへ進む。
【００１４】
好ましい技術案として、上記方法のステップＡにおいてさらに、上記ＨｅＮＢゲートウェイは、自ＨｅＮＢゲートウェイに接続されている第２のＨｅＮＢに第１のＣＳＧが追加配置されたこと、または元々配置された第１のＣＳＧが削除されたことを検出すると、上記ＨｅＮＢゲートウェイに接続されている他のＨｅＮＢに上記第１のＣＳＧが存在するか否かを判断し、存在する場合、上記ＨｅＮＢゲートウェイがサポートするＣＳＧに変更がないと判断してフローを終了させるが、存在しない場合、上記ＨｅＮＢゲートウェイがサポートするＣＳＧに変更があり且つ変更のあったＣＳＧが上記第１のＣＳＧであると判断して、ステップＢへ進む。
【００１５】
好ましい技術案として、上記方法のステップＢにおいて、上記変更のあったＣＳＧの情報には、上記変更のあったＣＳＧのＩＤと、該ＩＤに対応付けられ、上記変更のあったＣＳＧの削除または追加を指示するための識別ビットとを含む。
【００１６】
好ましい技術案として、時間周期が予め定められ、上記方法のステップＢにおいて、上記変更のあったＣＳＧの情報を移動性管理実体に送信することは、上記第１の設備が、上記時間周期内に変更のあったすべてのＣＳＧを統計し、変更のあったすべてのＣＳＧの情報をシグナリングメッセージに付加して上記第２の設備に送信することである。
【００１７】
好ましい技術案として、上記方法の上記シグナリングメッセージは、Ｓ１に接続された保守メッセージであり、例えば基地局配置更新メッセージである。
【００１８】
好ましい技術案として、上記方法の上記第２の設備が上記移動性管理実体である場合、上記ステップＢの後にさらに、上記移動性管理実体は、受信した上記変更のあったＣＳＧの情報に基づいて、自身で保守する上記第１の設備がサポートするＣＳＧを更新するステップＣを含む。
【００１９】
好ましい技術案として、上記方法の上記ステップＣの後にさらに、上記移動性管理実体は、ユーザ端末を呼び出すときに、上記ユーザ端末があるトラッキングエリアに対応するセルと上記ユーザ端末が属するＣＳＧに対応するセルの共通集合に基づいて、呼び出しする必要のあるセルを特定してページングを開始するステップＤを含む。
【００２０】
好ましい技術案として、上記方法において、マクロ基地局に対応するマクロセルとＨｅＮＢに対応するフェムトセルのトラッキングエリア標識を分割し、予めマクロセルとフェムトセルに異なったトラッキングエリア標識を割当て、あるいは、予めＨｅＮＢゲートウェイに所定数のトラッキングエリア標識を割当て、上記所定数のトラッキングエリア標識は、該ＨｅＮＢゲートウェイに接続されているＨｅＮＢの重複使用に供され、且つ、他のＨｅＮＢゲートウェイまたはマクロセルに割り当てられたトラッキングエリア標識とは異なる。
【００２１】
本発明は、ＨｅＮＢと移動性管理実体との間に接続されるＨｅＮＢゲートウェイをさらに提供している。
【００２２】
該ＨｅＮＢゲートウェイは、自ＨｅＮＢゲートウェイに接続されるすべてのＨｅＮＢに配置されたＣＳＧを含む、自ＨｅＮＢゲートウェイがサポートするＣＳＧを保守する保守モジュールと、自ＨｅＮＢゲートウェイがサポートするＣＳＧに変更があったかを判断し、変更があった場合、変更のあったＣＳＧを選択する判断モジュールと、上記判断モジュールで選択された上記変更のあったＣＳＧの情報を上記移動性管理実体に送信する送信モジュールと、を含む。
【００２３】
好ましい技術案として、上記ＨｅＮＢゲートウェイの上記判断モジュールは、自ＨｅＮＢゲートウェイとの接続を確立または遮断するＨｅＮＢを検出する第１の検出サブモジュールと、第１のＨｅＮＢが自ＨｅＮＢゲートウェイとの接続を確立しまたは遮断することを上記第１の検出サブモジュールで検出すると、上記ＨｅＮＢゲートウェイに接続されている他のＨｅＮＢに上記第１のＨｅＮＢのＣＳＧが存在するか否かを判断し、存在する場合、上記ＨｅＮＢゲートウェイがサポートするＣＳＧに変更がないと判断し、存在しない場合、上記ＨｅＮＢゲートウェイがサポートするＣＳＧに変更があり且つ変更のあったＣＳＧが第１のＨｅＮＢのＣＳＧであると判断する第１の判断サブモジュールと、を含む。
【００２４】
好ましい技術案として、上記ＨｅＮＢゲートウェイの上記判断モジュールはさらに、自ＨｅＮＢゲートウェイに接続されているＨｅＮＢのＣＳＧ配置の変更状況を検出する第２の検出サブモジュールと、自ＨｅＮＢゲートウェイに接続されている第２のＨｅＮＢに第１のＣＳＧが追加配置されたこと、または元々配置された第１のＣＳＧが削除されたことを上記第２の検出サブモジュールで検出すると、上記ＨｅＮＢゲートウェイに接続されている他のＨｅＮＢに上記第１のＣＳＧが存在するか否かを判断し、存在する場合、上記ＨｅＮＢゲートウェイがサポートするＣＳＧに変更がないと判断し、存在しない場合、上記ＨｅＮＢゲートウェイがサポートするＣＳＧに変更があり且つ変更のあったＣＳＧが上記第１のＣＳＧであると判断する第２の判断サブモジュールと、を含む。
【００２５】
好ましい技術案として、上記ＨｅＮＢゲートウェイには、予め定められた時間周期で周期的に計時するタイミングモジュールをさらに含み、上記送信モジュールは、さらに上記時間周期内に変更のあったすべてのＣＳＧを統計し、変更のあったすべてのＣＳＧの情報をシグナリングメッセージに付加して上記移動性管理実体に送信する。
【００２６】
好ましい技術案として、上記ＨｅＮＢゲートウェイにおいて、上記シグナリングメッセージは、基地局配置更新メッセージであり、上記変更のあったＣＳＧの情報には、上記変更のあったＣＳＧのＩＤと、該ＩＤに対応付けられ、上記変更のあったＣＳＧの削除または追加を指示するための識別ビットとを含む。
【００２７】
本発明はさらに基地局設備を提供し、自基地局設備がサポートするＣＳＧを保守するための保守モジュールと、自基地局設備がサポートするＣＳＧに変更があったかを判断し、変更があったと判断した場合、変更のあったＣＳＧを選択するための判断モジュールと、上記判断モジュールで選択された上記変更のあったＣＳＧの情報を、自基地局設備に接続されている移動性管理実体またはＨｅＮＢゲートウェイに送信するための送信モジュールと、を含む。
【００２８】
好ましい技術案として、上記基地局設備には、予め定められた時間周期で周期的に計時するタイミングモジュールをさらに含み、上記送信モジュールは、さらに上記時間周期内に変更のあったすべてのＣＳＧを統計し、変更のあったすべてのＣＳＧの情報をシグナリングメッセージに付加して上記移動性管理実体に送信する。
【００２９】
好ましい技術案として、上記基地局設備において、上記シグナリングメッセージは、基地局配置更新メッセージであり、上記変更のあったＣＳＧの情報には、上記変更のあったＣＳＧのＩＤと、該ＩＤに対応付けられ、上記変更のあったＣＳＧの削除または追加を指示するための識別ビットとを含む。
【００３０】
好ましい技術案として、上記基地局設備はマクロ基地局設備またはＨｅＮＢ設備である。
【００３１】
本発明はさらに移動性管理実体を提供している。該移動性管理実体は、少なくとも一つのＨｅＮＢゲートウェイに接続し、上記ＨｅＮＢゲートウェイには少なくとも一つのＨｅＮＢが接続されている。
【００３２】
上記移動性管理実体は保守モジュールを有し、該保守モジュールは、上記ＨｅＮＢゲートウェイから送信された第１のメッセージを受信し、上記ＨｅＮＢゲートウェイがサポートするＣＳＧを上記第１のメッセージに基づき保守し、上記第１のメッセージには、上記ＨｅＮＢゲートウェイがサポートするＣＳＧのうち変更のあったＣＳＧの情報が付加されており、上記ＨｅＮＢゲートウェイがサポートするＣＳＧは上記ＨｅＮＢゲートウェイに接続されているすべてのＨｅＮＢに配置されたＣＳＧを含む。
【００３３】
好ましい技術案として、上記移動性管理実体の上記保守モジュールはさらに、自移動性管理実体に接続されているＨｅＮＢまたはマクロ基地局から送信された第２のメッセージを受信し、上記ＨｅＮＢまたはマクロ基地局がサポートするＣＳＧを上記第２のメッセージに基づき保守し、上記第２のメッセージには、上記ＨｅＮＢまたはマクロ基地局がサポートするＣＳＧのうち変更のあったＣＳＧの情報が付加されている。
【００３４】
好ましい技術案として、上記移動性管理実体には、ユーザ端末を呼び出すときに、上記ユーザ端末があるトラッキングエリアに対応するセルと上記ユーザ端末が属するＣＳＧに対応するセルの共通集合に基づいて、呼び出しする必要のあるセルを特定してページングを開始するページングモジュールをさらに含む。
【発明の効果】
【００３５】
上述から分かるように、本発明によるＣＳＧ情報伝送方法および装置は、第２の設備（ＨｅＮＢ  ＧＷ、ＨｅＮＢまたはマクロ基地局）が自身でサポートするＣＳＧに変更があったと判断する場合、該変更のあったＣＳＧのみの情報をＭＭＥまたはＨｅＮＢ  ＧＷに送信し、各ネットワーク実体の間のＣＳＧ情報を同期させる。変更のあったＣＳＧのみの情報を送信するため、ＣＳＧに変更があった場合、本発明によれば、各ネットワーク実体間のデータ伝送量を減少し、ＭＭＥがＴＡとＣＳＧ情報を利用して、ページングが必要のセルを総合的に判断することができるので、冗長のページングを回避し、有線と無線資源の無駄遣いを軽減している。本発明によれば、ＬＴＥの位置管理とページングのシグナリングコストを大幅に低下でき、大規模のＨｅＮＢの配置と業務性能の向上に有利である。ページングをさらに最適化するために、本発明では、対応するトラッキングエリア標識の配置方法により、マクロセルに必要でないページングを開始することを避け、マクロセルのエアインタフェース資源の無駄遣いを軽減している。
【図面の簡単な説明】
【００３６】
【図１】従来のＬＴＥネットワークアーキテクチャを示す。
【図２】ＨｅＮＢを含む従来のＬＴＥネットワークアーキテクチャを示す。
【図３】複数のＣＳＧがＴＡを重複使用することを示す。
【図４】本発明実施例の応用場面を示す。
【図５】本発明実施例によるＣＳＧ情報伝送方法のフローである。
【図６】本発明実施例による方法において屋内基地局起動時のフローである。
【図７】本発明実施例による方法において屋内基地局閉鎖時のフローである。
【図８】本発明実施例によるＨｅＮＢ  ＧＷの構造図である。
【図９】本発明実施例によるＭＭＥの構造図である。
【発明を実施するための形態】
【００３７】
本発明は、ＣＳＧ情報伝送方案を提案している。該技術案は、各ネットワーク実体の間にＣＳＧ情報を効率高く同期させることにより、最終的にＭＭＥがページングを開始するときに、ＴＡとＣＳＧ情報を結合してページングの最適化を行い、必要でないページングの送信を避けている。以下、図面を参照しながら具体的な実施形態を通して本発明を詳しく説明する。
【００３８】
図４は、本発明の一つの実施例の応用場面を示す。ＨｅＮＢ  ＧＷとＭＭＥとの間にＣＳＧ情報を伝送することを通して該場面を説明する。
【００３９】
図４に示すように、ＨｅＮＢは、ＨｅＮＢゲートウェイＨｅＮＢ  ＧＷを介して移動性管理実体ＭＭＥにアクセスし、マクロ基地局ｅＮＢは直接にＭＭＥに接続する。ｅＮＢとＨｅＮＢとは、重なってカバーしてもよく、即ち一つのＵＥがＨｅＮＢのセルにもアクセスできるし、ｅＮＢのセルにもアクセスできる。ＭＭＥとｅＮＢ間、ＭＭＥとＨｅＮＢ  ＧＷ間、およびＨｅＮＢ  ＧＷとＨｅＮＢ間は、いずれもＳ１インタフェースを介して接続する。ＨｅＮＢが起動した後、Ｓ１インタフェースを介してＨｅＮＢ  ＧＷとの接続を確立し、ＨｅＮＢが閉鎖した後、ＨｅＮＢ  ＧＷとの接続を遮断する。ｅＮＢと比べて、ＨｅＮＢはユーザが自主的に配置するようなアクセスポイントに該当し、ネットワークの計画を必要とせず、ユーザにより閉鎖と起動を自由に決められる。事業者は干渉抑圧などの理由からいずれかのＨｅＮＢを自発的に閉鎖することもあり、それにより該ＨｅＮＢが他のマクロセルの無線のカバーと業務の提供に影響を与えることを避ける。
【００４０】
図５は、本実施例によるＣＳＧ情報伝送方法のフローである。図５に示すように、該方法には下記ステップを有する。
【００４１】
ステップ５１において、ＨｅＮＢ  ＧＷは、自ＨｅＮＢ  ＧＷがサポートするＣＳＧを保守する。
【００４２】
ステップ５２において、ＨｅＮＢ  ＧＷは、自ＨｅＮＢ  ＧＷがサポートするＣＳＧに変更があったかを判断し、変更があったと判断した場合、ステップ５３へ進み、逆の場合ステップ５４へ進む。
【００４３】
ここで、自ＨｅＮＢ  ＧＷがサポートするＣＳＧは、自ＨｅＮＢ  ＧＷに接続されているすべてのＨｅＮＢに配置されたＣＳＧを含む。具体的に、ＨｅＮＢ  ＧＷでは一つのリストを立て、該リストには、稼動状態の各ＨｅＮＢに配置されているＣＳＧが記録されている。ここで、ＨｅＮＢ  ＧＷに接続されているすべてのＨｅＮＢとは、ＨｅＮＢ  ＧＷとの間にＳ１による接続が確立されており、該ＨｅＮＢ  ＧＷを介してＭＭＥにアクセスするＨｅＮＢのことを言う。
【００４４】
ステップ５３において、ＨｅＮＢ  ＧＷは、変更のあったＣＳＧを選択し、上記変更のあったＣＳＧの情報をＭＭＥに送信する。ＭＭＥは、これに基づいてＭＭＥで保守している該ＨｅＮＢ  ＧＷがサポートするＣＳＧを更新する。
【００４５】
ここで、ＨｅＮＢ  ＧＷは上記変更のあったＣＳＧの情報をシグナリングメッセージに付加し、例えば基地局配置更新メッセージに付加してＭＭＥに送信してもよい。上記変更のあったＣＳＧの情報には、上記変更のあったＣＳＧのＩＤと、該ＩＤに対応付けられ、上記変更のあったＣＳＧの削除または追加を指示するための識別ビットとを含む。こうして、ＭＭＥが該メッセージを受信すると、その中の識別ビットに基づいて、該ＨｅＮＢ  ＧＷがサポートするＣＳＧにおいて、対応するＣＳＧを削除または追加できる。
【００４６】
ステップ５４において、本フローを終了させる。
【００４７】
上記フローにより、ＨｅＮＢ  ＧＷは、自身がサポートするＣＳＧに変更があったときに、自身がサポートするＣＳＧの情報をすべてＭＭＥに送信するのではなく、変更のあったＣＳＧを選択し、該変更のあったＣＳＧのみの情報をＭＭＥに送信するため、ＨｅＮＢ  ＧＷとＭＭＥ間の情報伝送量を軽減でき、ＭＭＥとＨｅＮＢ  ＧＷ間のＣＳＧ情報の同期を効率高く実現できる。
【００４８】
ＨｅＮＢ  ＧＷとＭＭＥ間のＣＳＧ情報の情報伝送量をさらに軽減するために、ステップ５２において、予め時間周期を定め、ＨｅＮＢ  ＧＷが該時間周期内に変更のあったすべてのＣＳＧを統計し、該時間周期の終了時に、統計して得た変更のあったすべてのＣＳＧの情報をシグナリングメッセージに付加して上記移動性管理実体に送信してもよい。こうして、ＨｅＮＢ  ＧＷは、サポートしているＣＳＧの変更を検出するたびにシグナリングメッセージを送信するのではなく、上記変更のあったＣＳＧの情報を周期的に送信するため、ＨｅＮＢ  ＧＷとＭＭＥ間のＣＳＧの同期に要するデータ量をさらに減少できる。具体的な実施において、同期時間と同期データ量とを折衷的に考慮し、適切な時間周期を選択してもよい。
【００４９】
ＣＳＧの数がＴＡより遥かに大きいため、複数のＣＳＧで同じＴＡを重複使用することがありうる。この場合、発明者が従来技術のページングのフローについて分析して下記ことを発見した。複数のＣＳＧで同じＴＡを重複使用することがありうるため、ＭＭＥがページングを開始するときに、ＴＡに基づく従来のページング方案に基づき、とあるＴＡを使用するすべてのセルがすべてエアインタフェースでページング放送を開始する必要がある。これらのセルは、それぞれ異なったＣＳＧに属しうるが、実際にはとあるＵＥが特定のＣＳＧしかアクセスできない。従って、他のＣＳＧに送信されたすべてのページングは必要のないものである。以上から、従来のページング方案によれば、有線リンクと無線リンク上のシグナリングが非常に複雑となり、同時に設備がこれらのシグナリングメッセージを処理するに要するコストを大きくしたので、ＬＴＥネットワークにおけるＨｅＮＢの大規模の配置に支障をきたす。そうなると、ＴＡに基づいた従来のページングは冗長のページングメッセージを生じさせるので、ＴＡ情報とＣＳＧ情報とを総合的に考慮しなければならない。ＴＡに基づいた従来のページングにより、ＭＭＥに基地局のＴＡ情報を有するようにしたが、本実施例ではＭＭＥによる基地局のＣＳＧ情報の取得をサポートし、それによりＭＭＥに基づくページングの最適化をサポートできる。
【００５０】
本実施例では、ＨｅＮＢ  ＧＷは自身がサポートするＣＳＧをＭＭＥに知らせているので、ＭＭＥは、各ＨｅＮＢ  ＧＷがサポートするＣＳＧ情報に基づいて、上記ページングフローの最適化をすることができる。具体的に、ＭＭＥは、ＨｅＮＢ  ＧＷがサポートするＣＳＧ情報に基づいて、ＣＳＧとセル間の対応関係を確立し、さらにＭＭＥがＵＥを呼び出すときに、上記ＵＥがあるＴＡに対応するセルと上記ユーザ端末が属するＣＳＧに対応するセルの共通集合に基づいて、ページングが必要のセルを特定してページングを開始する。そうすることにより従来技術において冗長のページングを送信するという欠点を克服でき、有線と無線資源の無駄遣いを減少し、ＬＴＥの位置管理とページングのシグナリングコストを著しく低下させると共に、ＬＴＥネットワークにおけるＨｅＮＢの大規模の配置に有利である。
【００５１】
ＨｅＮＢ  ＧＷがサポートするＣＳＧに変更があるということは、増加と減少との二つの場合がある。例えば、ＨｅＮＢ  ＧＷに接続されているとあるＨｅＮＢの起動または閉鎖により、該ＨｅＮＢ  ＧＷがサポートするＣＳＧの増加または減少を引き起こしうる。また、ゲートウェイの関連配置によっても、ＨｅＮＢ  ＧＷがサポートするＣＳＧを変更させうる。図６は、とあるＨｅＮＢ（以下、該ＨｅＮＢを第１のＨｅＮＢという）の起動時に本実施例による方法の具体的なフローを示す。
【００５２】
ステップ６０１において、第１のＨｅＮＢの起動時に、Ｓ１メッセージを確立することにより、第１のＨｅＮＢに配置されたＣＳＧ標識情報をＨｅＮＢ  ＧＷに送信する。
【００５３】
ステップ６０２において、ＨｅＮＢ  ＧＷは、第１のＨｅＮＢからの接続が確立されていることを検出すると、上記確立メッセージから第１のＨｅＮＢのＣＳＧ標識情報を抽出し、ローカルで保守中の各稼動状態のＨｅＮＢのＣＳＧに基づいて、上記ＨｅＮＢ  ＧＷに接続されている第１のＨｅＮＢ以外の他のＨｅＮＢ（ここでの他のＨｅＮＢはいずれも稼動状態にあるＨｅＮＢである）に上記第１のＨｅＮＢのＣＳＧが既に存在しているか否かを判断する。存在する場合、ＨｅＮＢ  ＧＷがサポートするＣＳＧに変更がないことを判断し、このときＣＳＧの変更を知らせる情報である基地局配置更新メッセージをＭＭＥに送信する必要がなく、本フローをそのまま終了させる。逆の場合、ＨｅＮＢ  ＧＷがサポートするＣＳＧに変更があり、且つ変更のあったＣＳＧが第１のＨｅＮＢのＣＳＧであると判断し、ステップ６０３に進む。
【００５４】
ステップ６０３において、ＨｅＮＢ  ＧＷは、自身がサポートするＣＳＧの情報を更新し、第１のＨｅＮＢのＣＳＧを自身がサポートするＣＳＧに追加し、基地局配置更新メッセージをＭＭＥに送信して新規追加されたＣＳＧの情報を通知する。該基地局配置更新メッセージには、新規追加されたＣＳＧのＩＤと、該ＩＤに対応し、追加操作をＭＭＥに指示するための識別ビットを含む。
【００５５】
ステップ６０４において、ＭＭＥは上記基地局配置更新メッセージを受信すると、その中から第１のＨｅＮＢのＣＳＧのＩＤと識別ビットを抽出し、ローカルで保守中の該ＨｅＮＢ  ＧＷがサポートするＣＳＧに第１のＨｅＮＢのＣＳＧを追加し、そして基地局配置更新確認メッセージを該ＨｅＮＢ  ＧＷに応答する。
【００５６】
以上は、ＨｅＮＢ  ＧＷ配下の第１のＨｅＮＢの起動時の操作フローを説明した。第１のＨｅＮＢの稼動状態において、第１のＨｅＮＢのＣＳＧを配置してもよい。例えば第１のＣＳＧを新規に配置する。このとき、図６に示されるフローのように、第１のＨｅＮＢは該第１のＣＳＧをＨｅＮＢ  ＧＷに通知し、ＨｅＮＢ  ＧＷは、上記ＨｅＮＢ  ＧＷ配下の稼動状態にある他のＨｅＮＢに該第１のＣＳＧが存在しているか否かを判断する。存在する場合、上記ＨｅＮＢ  ＧＷがサポートするＣＳＧに変更がないことを判断し、このとき基地局配置更新メッセージを送信しない。逆の場合、上記ＨｅＮＢ  ＧＷがサポートするＣＳＧに変更があり、且つ変更のあったＣＳＧが上記第１のＣＳＧであると判断し、そして該第１のＣＳＧの情報を上記ＭＭＥに送信し、該ＨｅＮＢ  ＧＷがサポートするＣＳＧを更新するよう上記ＭＭＥに供される。
【００５７】
図７は、第１のＨｅＮＢの閉鎖後に本実施例による方法の具体的なフローを示す。
【００５８】
ステップ７０１において、第１のＨｅＮＢの閉鎖前に、Ｓ１メッセージを通して、第１のＨｅＮＢに配置されたＣＳＧの情報をＨｅＮＢ  ＧＷに通知する。
【００５９】
ステップ７０２において、ＨｅＮＢ  ＧＷは、第１のＨｅＮＢからの接続が遮断されていることを検出すると、Ｓ１確立メッセージから第１のＨｅＮＢのＣＳＧ標識情報を抽出し、ローカルで保守中の各稼動状態のＨｅＮＢのＣＳＧに基づいて、上記ＨｅＮＢ  ＧＷに接続されている第１のＨｅＮＢ以外の他のＨｅＮＢ（ここでの他のＨｅＮＢはいずれも稼動状態にあるＨｅＮＢである）に上記第１のＨｅＮＢのＣＳＧが既に存在しているか否かを判断する。存在する場合、基地局配置更新メッセージをＭＭＥに送信する必要がなく、本フローをそのまま終了させる。逆の場合、上記ＨｅＮＢ  ＧＷがサポートするＣＳＧに変更があり、且つ変更のあったＣＳＧが第１のＨｅＮＢのＣＳＧであると判断し、ステップ７０３に進む。
【００６０】
ここで説明しておくのは、ステップ７０１においてＨｅＮＢが閉鎖時にＳ１メッセージを送信してＣＳＧ情報の変更を通知することがなければ、ステップ７０２において、ＨｅＮＢ  ＧＷは、定期的に検出するという方式により、第１のＨｅＮＢのＣＳＧ情報の変更を取得することができる。
【００６１】
ステップ７０３において、ＨｅＮＢ  ＧＷは、自身がサポートするＣＳＧの情報を更新し、第１のＨｅＮＢのＣＳＧを自身がサポートするＣＳＧから削除し、基地局配置更新メッセージをＭＭＥに送信する。該基地局配置更新メッセージには、第１のＨｅＮＢのＣＳＧのＩＤと、該ＩＤに対応し、削除操作をＭＭＥに指示するための識別ビットを含む。
【００６２】
ステップ７０４において、ＭＭＥは上記基地局配置更新メッセージを受信すると、その中から第１のＨｅＮＢのＣＳＧのＩＤと識別ビットを抽出し、ローカルで保守中の該ＨｅＮＢ  ＧＷがサポートするＣＳＧから第１のＨｅＮＢのＣＳＧを削除し、そして基地局配置更新確認メッセージを該ＨｅＮＢ  ＧＷに応答する。
【００６３】
以上は、ＨｅＮＢ  ＧＷ配下の第１のＨｅＮＢの閉鎖時の操作フローを説明した。稼動状態にある第１のＨｅＮＢに対してＣＳＧの配置を行い、例えば第１のＣＳＧなど、元々配置されたとあるＣＳＧを削除する場合、そのときの本実施例の操作フローは図７に類似しているので、ここでは贅言を避ける。
【００６４】
上記実施例は、ＨｅＮＢ  ＧＷとＭＭＥとの間のＣＳＧ情報の同期について説明した。本発明はさらにＨｅＮＢ  ＧＷとＨｅＮＢ間、ＭＭＥとマクロ基地局間、およびＭＭＥとＨｅＮＢ間に適用でき、フローも類似である。例えば、ＨｅＮＢが直接にＭＭＥに接続する場合、該ＨｅＮＢは自ＨｅＮＢがサポートするＣＳＧに変更があったかを判断し、変更があったとき変更のあったＣＳＧを選択して上記変更のあったＣＳＧの情報をＭＭＥに送信する。ここでは、ＨｅＮＢがサポートするＣＳＧは、該ＨｅＮＢの現在に配置されているＣＳＧである。
【００６５】
ＨｅＮＢ  ＧＷとＨｅＮＢ間、ＭＭＥとマクロ基地局間におけるＣＳＧ情報の同期については、上記フローに類似しているため、ここでは贅言を避ける。
【００６６】
ページングをさらに最適化するために、本実施例ではさらに、以下二種類のトラッキングエリア（ＴＡ）標識割当て方案を提案している。第１種の方案は、マクロ基地局に対応するマクロセルとＨｅＮＢに対応するフェムトセルのトラッキングエリア標識を分割し、ＰＬＭＮ（Ｐｕｂｌｉｃ  Ｌａｎｄ  Ｍｏｂｉｌｅ  Ｎｅｔｗｏｒｋ）全体において該種類の分割に基づきトラッキングエリア標識の割当てをする。即ち、マクロセルとフェムトセルに異なったトラッキングエリア標識を割当て、任意のマクロセルと任意のフェムトセルのトラッキングエリア標識をそれぞれ異にする。第２種の方案は、ＨｅＮＢゲートウェイに所定数のトラッキングエリア標識を割当て、これらのトラッキングエリア標識が該ＨｅＮＢゲートウェイに接続されているＨｅＮＢに重複使用され、しかも、ＨｅＮＢゲートウェイに割り当てられたトラッキングエリア標識が再び他のＨｅＮＢゲートウェイまたはマクロセルに割り当てられて使用されることはない。こうすることにより、他のマクロセルと同じトラッキングエリア標識を重複使用することを避けたため、ＭＭＥにおいて、ＵＥがあるトラッキングエリアに対応するセルとＵＥが属するＣＳＧに対応するセルの共通集合に基づきページングが必要のセルを特定する際に、マクロセルに必要のないページングを開始することを避け、マクロセルのエアインタフェース資源の無駄遣いを軽減し、ページングのフローをさらに最適化している。
【００６７】
以上のＣＳＧ情報伝送方法に基づき、本実施例は対応した装置も提供している。図８に示すように、本実施例はＨｅＮＢ  ＧＷを提供している。該ＨｅＮＢ  ＧＷは、ＨｅＮＢと移動性管理実体との間に接続される。具体的に、該ＨｅＮＢ  ＧＷは、自ＨｅＮＢゲートウェイに接続されるすべてのＨｅＮＢに配置されたＣＳＧを含む、自ＨｅＮＢゲートウェイがサポートするＣＳＧを保守する保守モジュールと、自ＨｅＮＢゲートウェイがサポートするＣＳＧに変更があったかを判断し、変更があった場合、変更のあったＣＳＧを選択する判断モジュールと、上記判断モジュールで選択された上記変更のあったＣＳＧの情報を上記移動性管理実体に送信する送信モジュールと、を含む。
【００６８】
好ましい技術案として、上記判断モジュールは、自ＨｅＮＢゲートウェイとの接続を確立または遮断するＨｅＮＢを検出する第１の検出サブモジュールと、第１のＨｅＮＢが自ＨｅＮＢゲートウェイとの接続を確立しまたは遮断することを上記第１の検出サブモジュールで検出すると、上記ＨｅＮＢゲートウェイに接続されている他のＨｅＮＢに上記第１のＨｅＮＢのＣＳＧが存在するか否かを判断し、存在する場合、上記ＨｅＮＢゲートウェイがサポートするＣＳＧに変更がないと判断し、存在しない場合、上記ＨｅＮＢゲートウェイがサポートするＣＳＧに変更があり且つ変更のあったＣＳＧが第１のＨｅＮＢのＣＳＧであると判断する第１の判断サブモジュールと、を含む。
【００６９】
好ましい技術案として、上記判断モジュールはさらに、自ＨｅＮＢゲートウェイに接続されているＨｅＮＢのＣＳＧ配置の変更状況を検出する第２の検出サブモジュールと、自ＨｅＮＢゲートウェイに接続されている第２のＨｅＮＢに第１のＣＳＧが追加配置されたこと、または元々配置された第１のＣＳＧが削除されたことを上記第２の検出サブモジュールで検出すると、上記ＨｅＮＢゲートウェイに接続されている他のＨｅＮＢに上記第１のＣＳＧが存在するか否かを判断し、存在する場合、上記ＨｅＮＢゲートウェイがサポートするＣＳＧに変更がないと判断し、存在しない場合、上記ＨｅＮＢゲートウェイがサポートするＣＳＧに変更があり且つ変更のあったＣＳＧが上記第１のＣＳＧであると判断する第２の判断サブモジュールと、を含む。
【００７０】
ここで、ＭＭＥとＨｅＮＢ間におけるＣＳＧ同期のデータ量をさらに軽減するために、本実施例のＨｅＮＢは、予め定められた時間周期で周期的に計時するタイミングモジュールをさらに含む。このとき、上記送信モジュールは、さらに上記時間周期内に変更のあったすべてのＣＳＧを統計し、変更のあったすべてのＣＳＧの情報をシグナリングメッセージに付加して上記移動性管理実体に送信する。上記シグナリングメッセージは、基地局配置更新メッセージであり、上記変更のあったＣＳＧの情報には、上記変更のあったＣＳＧのＩＤと、該ＩＤに対応付けられ、上記変更のあったＣＳＧの削除または追加を指示するための識別ビットとを含む。
【００７１】
本発明はさらにＭＭＥを提供し、少なくとも一つのＨｅＮＢゲートウェイに接続し、上記ＨｅＮＢゲートウェイには少なくとも一つのＨｅＮＢが接続されている。図９に示すように、該ＭＭＥには、保守モジュールとページングモジュールを有する。
【００７２】
該保守モジュールは、上記ＨｅＮＢゲートウェイから送信された第１のメッセージを受信し、上記ＨｅＮＢゲートウェイがサポートするＣＳＧを上記第１のメッセージに基づき保守し、上記第１のメッセージには、上記ＨｅＮＢゲートウェイがサポートするＣＳＧのうち変更のあったＣＳＧの情報が付加されており、上記ＨｅＮＢゲートウェイがサポートするＣＳＧは上記ＨｅＮＢゲートウェイに接続されているすべてのＨｅＮＢに配置されたＣＳＧを含む。
【００７３】
ページングモジュールは、ユーザ端末を呼び出すときに、上記ユーザ端末があるトラッキングエリアに対応するセルと上記ユーザ端末が属するＣＳＧに対応するセルの共通集合に基づいて、呼び出しする必要のあるセルを特定してページングを開始する。
【００７４】
ここでは、上記保守モジュールはさらに、自移動性管理実体に接続されているＨｅＮＢまたはマクロ基地局から送信された第２のメッセージを受信し、上記ＨｅＮＢまたはマクロ基地局がサポートするＣＳＧを上記第２のメッセージに基づき保守する。上記第２のメッセージには、上記ＨｅＮＢまたはマクロ基地局がサポートするＣＳＧのうち変更のあったＣＳＧの情報が付加されている。上記ページングモジュールは、ＨｅＮＢ  ＧＷがサポートするＣＳＧの情報に基づいて、ＣＳＧとセルとの対応関係を立て、上記ユーザ端末を呼び出すときに、上記対応関係に基づいて上記ユーザ端末が属するＣＳＧに対応するセルを特定し、上記ユーザ端末があるトラッキングエリアに対応するセルと上記ユーザ端末が属するＣＳＧに対応するセルの共通集合に基づいて、呼び出しする必要のあるセルを特定してページングを開始する。
【００７５】
最後に、本発明はさらに基地局設備を提供し、該基地局設備はマクロ基地局設備またはＨｅＮＢ設備である。該基地局設備は具体的に、自基地局設備がサポートするＣＳＧを保守するための保守モジュールと、自基地局設備がサポートするＣＳＧに変更があったかを判断し、変更があったと判断した場合、変更のあったＣＳＧを選択するための判断モジュールと、上記判断モジュールで選択された上記変更のあったＣＳＧの情報を、自基地局設備に接続されている移動性管理実体またはＨｅＮＢゲートウェイに送信するための送信モジュールと、を含む。
【００７６】
好ましい技術案として、上記基地局設備には、予め定められた時間周期で周期的に計時するタイミングモジュールをさらに含み、上記送信モジュールは、さらに上記時間周期内に変更のあったすべてのＣＳＧを統計し、変更のあったすべてのＣＳＧの情報をシグナリングメッセージに付加して上記移動性管理実体に送信する。ここでは、上記シグナリングメッセージは、基地局配置更新メッセージであり、上記変更のあったＣＳＧの情報には、上記変更のあったＣＳＧのＩＤと、該ＩＤに対応付けられ、上記変更のあったＣＳＧの削除または追加を指示するための識別ビットとを含む。
【００７７】
上述のように、本発明実施例によるＣＳＧ情報伝送方法および装置は、変更のあったＣＳＧのみの情報を各ネットワーク実体の間で伝送するため、各ネットワーク実体間のデータ伝送量を減少し、ＭＭＥがＴＡとＣＳＧ情報を利用して、ページングが必要のセルを総合的に判断することができるので、冗長のページングを回避し、有線と無線資源の無駄遣いを軽減している。
【図１】
2010213273.tif 000003
【図２】
2010213273.tif 000004
【図３】
2010213273.tif 000005
【図４】
2010213273.tif 000006
【図５】
2010213273.tif 000007
【図６】
2010213273.tif 000008
【図７】
2010213273.tif 000009
【図８】
2010213273.tif 000010
【図９】
2010213273.tif 000011